(57)【要約】【課題】竪樋を上下に接続する雨樋継手から取水した雨水を、雨水取出筒から取り出すとき雨水取出筒を少なくとも２段階的に変化させることで複数の径のホースを接続できるようにした雨水取水装置を提供する。【解決手段】本願発明の雨水取水装置は上下の竪樋Ｔを接続する竪樋継手本体１に雨水取水体２を設け、該雨水取水体２に設けられた雨水取出筒２１から雨水を取り出すようにした雨水取出継手３において、雨水取出筒２１の口径を先端部に行くにしたがって少なくとも２段階的に変化させるとともに、その水上側の筒部２１１の口径に対して水下側の筒部２１２の口径を細くなるように形成し、それら筒部のうち任意の筒部に接続されたホース４を介して雨水を取水できることを特徴とするものである。【選択図】図３
2009127275.tif 000002
【特許請求の範囲】
【請求項１】
上下の竪樋を接続する竪樋継手本体に雨水取水体を設け、該雨水取水体に設けられた雨水取出筒から雨水を取り出すようにした雨水取出継手において、雨水取出筒の口径を先端部に行くにしたがって少なくとも２段階的に変化させるとともに、その水上側の筒部の口径に対して水下側の筒部の口径を細くなるように形成し、それら筒部のうち任意の筒部に接続されたホースを介して雨水を取水できることを特徴とする雨水取水装置。
【請求項２】
上記雨水取出筒を雨水取水体に対して回動自在に取り付けたことを特徴とする請求項１記載の雨水取水装置。
【請求項３】
雨水取水体に上記雨水取出筒とは別体の口径が一定の上記雨水取出筒を設けたことを特徴とする請求項１記載の雨水取水装置。
【請求項４】
上記竪樋継手本体に補助雨水取水体を並設し、上記口径が一定の上記雨水取出筒を該補助雨水取水体に設けるとともに、上記雨水取水体と該補助雨水取水体とが、ハの字形の位置関係になるようにしたことを特徴とする請求項１記載の雨水取水装置。
【発明の詳細な説明】
【技術分野】
【０００１】
本願発明は、竪樋を伝って流下する雨水を途中で竪樋外部に取り出して利用できる雨水取水装置に関するものである。
【背景技術】
【０００２】
通常家屋の屋根縁に取り付けられた軒樋に集められた雨水は、軒樋から垂直方向に沿って設けられた竪樋を通って下水等に排出される。一般に、庭の植木や草花などに散水する場合の水、あるいは洗車用の水などは雨水でも利用できるものであるが、多くは飲料用の水道水などが用いられており、水道水の浪費につながり、水資源の確保の点からも好ましいものではなかった。
【０００３】
このように雨水を取水する手段として竪樋を直接貯水槽に差し込んで集める方法が主流であり貯水するための貯水槽の容量も１００リットルないし２００リットルといった大きなものであった。
【０００４】
しかしこのような大型の貯水槽を設置することが困難な一般の住宅では、簡単に雨水の利用が図れる雨水取水装置が要望されており、又、一般家庭で利用するにはコストも安価なものが求められている。そのため各種の雨水取水装置が提案されている。
【０００５】
特開２００１−１９３２３６号公報に示されている雨水貯留用継手は、外筒部と内筒部とからなり、上端部および下端部に竪樋接続部が設けられ、外筒部の上端が水上の竪樋に、内筒部の下端が水下の竪樋にそれぞれ連通するように構成されており、外筒部と内筒部との間隙部に浸透部材が詰め込まれ、外筒部下方に設けた雨水取出筒と連結するように形成されている。したがって浸透部材の洗浄等が困難なものである。
【特許文献１】特開２００１−１９３２３６号公報
【発明の開示】
【発明が解決しようとする課題】
【０００６】
しかしながら、上記従来例であるこれらの取水装置はいずれも竪樋から貯水槽に送水するものであり、竪樋と貯水槽とは設置場所が異なり、かつ雨水取水体と貯水槽とはホースを介して送水されるために、貯水槽に接続できる特定のホースしか使用できない。本願の発明はこれらの装置とは異なり雨水取出体の雨水取出筒の口径を先端に行くにしたがって少なくとも２段階的に変化させているものであり、したがってホースは雨水取水体の後に設置される貯水槽の受水口の径に対応できるものである。
【０００７】
本願発明は、上記背景技術に鑑みてなしたものであり、その目的は、竪樋から取水した雨水を、雨水取出体の雨水取出筒の口径を段階的に変化させているために、複数の径のホースを接続できるようにした雨水取水装置を提供することにある。
【課題を解決するための手段】
【０００８】
上記課題を解決するために、本願請求項１記載の発明に係る雨水取水装置は、上下の竪樋を接続する雨樋継手本体に雨水取水体を設け、該雨水取水体に設けられた雨水取出筒から雨水を取り出すようにした雨水取出継手において、雨水取出筒の口径を先端部に行くにしたがって少なくとも２段階的に変化させるとともに、その水上側の筒部の口径に対して水下側の筒部の口径を細くなるように形成し、それら筒部のうち任意の筒部に接続されたホースを介して雨水を取水できることを特徴としている。
【０００９】
本願請求項２記載の発明は、上記雨水取出筒を雨水取水体に対して回動自在に取り付けたことを特徴としている。
【００１０】
本願請求項３記載の発明は、雨水取水体に上記雨水取出筒とは別体の口径が一定の雨水取出筒を設けたことを特徴としている
本願請求項４記載の発明は、上記竪樋継手本体に補助雨水取水体を並設し、上記口径が一定の上記雨水取出筒を該補助雨水取水体に設けるとともに、上記雨水取水体と該補助雨水取水体とが、ハの字形の位置関係になるようにしたことを特徴としている。
【発明の効果】
【００１１】
本願請求項１記載の発明に係る雨水取水装置においては、上記のとおりであり、特に、竪樋継手本体に並設された雨水取水体から雨水を取り出すようにした取出継手において、雨水取水体に設けた雨水取出筒の口径を先端部に行くにしたがって少なくとも２段階的に変化させるとともに、その水上側の筒部の口径に対して水下側の筒部の口径を細くなるように形成したから、それら筒部のうち口径の異なる任意の筒部に接続されたホースを介して雨水を取水できる。
【００１２】
したがって口径の異なる種々のホースを選択して使用できる。また特定の口径のホースにしか対応できなかった従来の雨水取水装置に比較して、一個の雨水取出継手を準備しておけばよくその保管場所も最小限のスペースで済むから経済的なものである。
【００１３】
さらに本願雨水取水装置は雨水取出筒の口径を先端部にいくに従い段階的に変化させ、かつその水上側の筒部の口径に対して水下側の筒部の口径を細くなるように形成しているから、口径の大きいホースを水上側の筒部に接続するとき、口径の小さい水下側の筒部は該ホース内に入り込んでガイドの役割を果たすとともに、それぞれの筒部はその一定の長さ方向において同一の外径であるから、それぞれの筒部において口径の異なるそれぞれのホースをしっかりと接続できるものである。
【００１４】
本願請求項２記載の発明に係る雨水取水装置は、上記のとおりであり、特に、上記雨水取出筒を雨水取水体に対して回動自在に取付けているから、ホースを雨水取出筒に接続した状態でホースの向きを変えるとき雨水取出筒がホースの移動に従って回動し、従って、ホースの操作が容易である。またホースの操作に対応して雨水取出筒とホースとの接続部に無理な力が加わりにくく、該接続部の破損を防止できる。
【００１５】
本願請求項３記載の発明に係る雨水取水装置は、上記のとおりであり、特に、雨水取水体に上記雨水取出筒とは別体の口径が一定の雨水取出筒を設けているから、口径が一定の上記雨水取出筒を常時雨水を取水するためのホース専用とすることができ、他の用途に使用するためのホースは上記複数の口径を有する雨水取出筒と接続できる。
【００１６】
本願請求項４記載の発明に係る雨水取水装置は、上記のとおりであり、特に、上記竪樋継手本体に補助雨水取水体を並設し、上記口径が一定の上記雨水取出筒を該補助雨水取水体に設けるとともに、上記雨水取水体と該補助雨水取水体とが、ハの字形の位置関係になっているから、本願発明の雨水取水装置の竪樋継手本体を竪樋に取り付けるとき、上記雨水取水体と該補助雨水取水体とのいずれも竪樋を支持した壁面から少し離れた位置に設置させることができる。したがって、ホースの各雨水取出筒への接続作業時に十分な作業スペースを確保でき、その接続作業を円滑に行うことができ、ホースの接続時に誤って該竪樋支持壁を傷つけにくく、また該ホース接続部に水漏れがあった場合でも竪樋支持壁を傷めることが少ないのである。
【発明を実施するための最良の形態】
【００１７】
以下、本願発明の雨水取水装置について図面を参照して詳細に説明する。図１は本願発明の第１の実施形態である雨水取水装置の使用状態を示す説明図、図２は上記実施形態における雨水取出継手の側断面、図３は上記実施形態における雨水取出継手を竪樋に取り付けたときの状態を示す断面図である。同図において、３は竪樋継手本体１に雨水取水体２を並設した雨水取出継手であり、竪樋継手本体１は竪樋Ｔ、Ｔ間に装着され、雨水取水体２の下面に形成した雨水取出筒２１と貯水槽６との間はホース４で連通している。
【００１８】
雨水取出筒２１はその口径が先端に行くに従い少なくとも２段階的に変化している。第１の実施の形態では３段階に形成されており、図２に示すようにその口径はａ＜ｂ＜ｃとなっている。
【００１９】
その結果水上側の筒部２１１の口径に対し中間部の筒部２１３、水下側の２１２と順次口径が細くなっている。従って、雨水取出筒２１には３種類の口径のホース４が接続できる。ホース４の他端は貯水槽６の受水口に接続されるが３種類の口径のホース４が使用できるため、各家庭に備えられているホース４は大抵の場合雨水取出筒２１と貯水槽６の受水口とに使用できる。図１に示した実施例では口径の最も小さい水下側の筒部２１２にホース４が接続されている状態を示している。
【００２０】
一般に貯水槽６の受水口は口径の大きいホース４が使用されるが本願雨水取水装置は３種類の口径のホース４に対応できるために、新たに雨水取出継手３を取り換え、又は大口径のホース４を購入し、あるいは貯水槽６の受水口にホース４の径に合うようにアタッチメント等を設置する必要がない。
【００２１】
更に本願雨水取水体２の雨水取出筒２１の口径は先端に行くに従って段階的に変化しており、上述のように水上側の筒部２１の口径、例えば最も水上側の筒部２１１の口径がｃであるのに対し、最も水下側の筒部２１２の口径がａであり、中間部の筒部２１３の口径がｂとなっている。その結果口径の大きいホース４を水上側の筒部２１１に接続するときには、口径の小さい水下側の筒部２１２、２１３は該ホース４内に入り込んでガイドの役を果たす。又、それぞれの筒部はその長さ方向において同一の外径であるから、筒部全体を連続して先細形状にした場合に比較して、それぞれの筒部において口径の異なるそれぞれのホース４をしっかりと接続できるものである。
【００２２】
図３に示した断面図は、本願発明の雨水取水装置の一例を示すものである。雨水取出継手３は外筒部９と内筒部１０とからなりその上端部と下端部には竪樋Ｔとの接合部が設けられ、外筒部９の上端が水上の竪樋Ｔに、内筒部１０の下端が水下の竪樋Ｔにそれぞれ連通するように構成されている。
【００２３】
この外筒部９と内筒部１０により雨水貯留部１１が形成されており、外筒部９には取水管路口１２が設けられ、取水管路口１２の下縁部は内筒部１０の上端部より下方に位置している。本発明の雨水取水装置は竪樋継手本体１とその外方に並設された雨水取水体２とで形成される雨水取出継手３が主要部材となっている。
【００２４】
雨水取水体２内は雨水取出筒２１の上部にフィルター７がありその上部にはフィルター７の取り出し可能な蓋部８が形成されている。従ってフィルター７の取り出し洗浄が容易にできる。雨水は上部の竪樋Ｔから竪樋継手本体１に入り取水管路口１２を経て雨水取水体２に入りフィルター７によりゴミ等が除去され雨水取出筒２１に流れる。
【００２５】
この雨水取出筒２１の上部には回動フランジ２１４が設けられており、雨水取出筒２１は雨水取出体２に対して回動自在に取り付けられる。これによりホース４を雨水取出筒２１に接続した状態でホース４の向きを変えるとき雨水取出筒２１がホース４の移動に従って回動するから、ホース４の操作が容易となり、また雨水取出筒２１とホース４との接続部に無理な力が加わりにくく該接続部の破損を防止できる。
【００２６】
また、雨水取水体２に、口径が一定の雨水取出筒２２を更に設けてもよい。この場合口径が一定の上記雨水取出筒２２には常時雨水を取水するためのホース４を接続し、取水した雨水を他の用途に使用する。ホース４は上記の複数の口径を有する雨水取出筒２１に接続できるから、ホース４の取替え作業を少なくすることができる。
【００２７】
図４は本願発明の第２の実施形態における雨水取出継手の底面図である。この実施の形態においては、第１の実施の形態の竪樋継手本体１に更に補助雨水取水体５を並設し、上記口径が一定の雨水取出筒２２を該補助雨水取水体５に設けるとともに上記雨水取出体２と該補助雨水取水体５とをハの字形に位置させたものである。
【００２８】
竪樋Ｔは通常家屋壁面に支持されて取付けられるから、本願の雨水取水装置の竪樋継手本体１を竪樋Ｔに取り付けるとき、上記ハの字形に位置させた雨水取水体２と補助雨水取水体５とのいずれも竪樋Ｔを支持した壁面から少し離れた位置に設置させることができ、ホース４の各雨水取出筒２１、２２の接続作業時に十分な作業スペースを確保でき、その接続作業を円滑に行うことができる。
【００２９】
更に各雨水取出筒２１,２２は竪樋支持壁からある程度離間しているから、本願発明のホース４の接続時に誤って竪樋支持壁を傷つけることがなく、また該ホース接続部に水漏れがあった場合でも竪樋支持壁を傷めることが少ないものである。
【００３０】
以上に説明したように本願発明の雨水取水装置の最大の特徴は雨水取出筒２１に口径の異なる種々のホース４を接続して使用できることであり、雨水取出筒２１に接続したホース４を移動しても接続部を破損することが少ないものである。
【図面の簡単な説明】
【００３１】
【図１】本願発明の第１の実施形態である雨水取水装置の使用状態を示す説明図。
【図２】第１の実施形態における雨水取出継手の側断面。
【図３】第１の実施形態における雨水取出継手を竪樋に取り付けたときの状態を示す断面図。
【図４】本願発明の第２の実施形態における雨水取出継手の底面図。
【符号の説明】
【００３２】
Ｔ      竪樋
１      竪樋継手本体
２      雨水取水体
２１    雨水取出筒
２１１  水上側の筒部
２１２  水下側の筒部
２１３  中間部の筒部
２１４  雨水取出筒の回動フランジ
２２    口径が一定の雨水取出筒
３      雨水取出継手
４      ホース
５      補助雨水取水体
６      貯水槽
７      フィルター
８      蓋部
９      外筒部
１０    内筒部
１１    雨水貯留部
１２    取水管路口
【図１】
2009127275.tif 000003
【図２】
2009127275.tif 000004
【図３】
2009127275.tif 000005
【図４】
2009127275.tif 000006